(57)【要約】      （修正有）【課題】判断材料として不調の内容や整体師の見立てや撮影した画像等から、最善と思われる手技等の施術手段を、選択・組み合わせて施術者に提供する。【解決手段】クライアントの状況や施術内容を記されたカルテや、撮影された画像等を蓄積し、検索の要件を入力すると、あらかじめ蓄積されている過去の本人及び他人のデータから不一致数の少ないものを抽出し、その情報の持ち主に実施している改善プログラムを、最適な改善プログラムとして抽出する。画像情報を撮影するにあたっては、身体の任意の箇所のバランスが明確に分かるように、フレームに縦横自在に摺動する複数の縦糸・横糸と傾斜計を設けた撮影台を用いる。【選択図】図３
2017064345.tif 000002
【特許請求の範囲】
【請求項１】
複数の人体各部位又は全身の画像データ等を入力する第１の入力手段と、
複数の身長並びに体重等の数値データを入力する第２の入力手段と、
第１の入力手段と第２の入力手段とから入力された情報を関連付ける情報関連付け手段と、
情報関連付け手段によって関連付けされた情報を記憶する記憶手段と、
記憶手段によって記憶された情報の中から任意の情報を選択して取り出し、比較することができる比較手段と
比較手段によって得られた結果に基づき、複数設けられた改善プログラムの中から、最適な改善プログラムを選定する改善プログラム選定手段と、
を備えたことを特徴とする整体業務施術支援システム。
【請求項２】
複数の人体各部位又は全身の画像情報等を入力する第１の入力手段において、
身体の任意の箇所のバランスが明確に分かるよう縦横自在に摺動する複数の糸と角度計を有する撮影台を用いることを特徴とする請求項１に記載の整体業務施術支援システム。
【発明の詳細な説明】
【技術分野】
【０００１】  本発明は、整体施術等に関する施術業務を効率よく支援する整体施術支援システムに関する。
【背景技術】
【０００２】  疲れやだるさ・各部の痛みその他、体調不良と呼ばれる症状はたくさんあって、バランスの良い食事や十分な睡眠で快復できるものもあるが、食事や睡眠で快復できないものは不調の期間が長くなって病気になることが多い。
このような場合、大抵の人は病院に向かい、検査や治療をしてもらい、薬をもらって帰るのであるが、これで全てが解決しているわけではない。
体調不良で整体院に来院される方を観ていると殆どの方は姿勢が悪く顔色もあまり良くない。更に、訊ねてみると多くの方が病院に通っても改善しなかったという人が多い。
実際に施術してみると消化器系が弱っているようであったり、一部の筋肉に過度の緊張があって骨格を引っ張り、そのために他の筋肉を連鎖的に緊張させている現象が多く見受けられる。
医療機関では治療の前にレントゲンやＣＴ・ＭＲＩ等の検査結果を目で確認してから治療に入ることが多いが、整体院ではそのような高価なものは使えないため、人体模型や人体図程度のものを利用して説明しながら施術することが多い。
【先行技術文献】
【特許文献】
【０００３】
【特許文献１】特開２００６−１８０９２９号公報
【発明の概要】
【発明が解決しようとする課題】
【０００４】  整体院でも利用できるものとして特許文献１があげられる。この技術はクライアントをデジタルカメラで撮影した画像をＣＧ加工しているので施術前と施術後の比較が容易であると思われる。【０００５】  しかし、モーフィング処理はあくまでシミュレーションにすぎず、実際の画像ではない。
大切なのは施術前と施術後で、どのような変化が出たのかを加工しないままクライアント自身の目で確認できることであるべきだと考える。【０００６】  また、施術以外のことでクライアント一人に多くの時間をかけることはできないので、短時間での比較画像処理は便利である。
さらに整体院にとって最も大切なことは画像を収集したり、加工や比較をすることではなく、少しでも早くクライアントの不調を解消することにある。【０００７】  そのために、不調の内容や整体師の見立てや撮影した画像等から、最善と思われる手技等の施術手段を、選択・組み合わせて施術者に提供することを課題とする。
【課題を解決するための手段】
【０００８】  この目的を達成するためにクライアントの状況や施術内容を記されたカルテや、撮影された画像等をコンピュータに蓄積し、現在のクライアント状況に適した施術手順等を抽出することにした。【０００９】  本発明は、この目的を達成するため、次のような構成にした。
まず１つ目は、不調の程度をクライアント自身が目視で確認できるよう、クライアントの各部位又は全身を撮影し、画像データ等を残すようにしたが、これについては後述する。【００１０】  ２つ目はクライアントの症状に応じた施術内容（手技等の組み合わせ）と、施術後の維持を目的とした調整維持用グッズを組み合わせたこと（以降、施術内容と調整維持用グッズの組み合わせを改善プログラムと呼ぶ）。この改善プログラムは症状ごとに用意し、更にその程度に応じて段階的に複数パターンを用意してあるが、ここでは省略する。【００１１】  ３つ目はクライアントの状況や施術内容を記されたカルテや、撮影された各部位又は全身の画像データ等をコンピュータに蓄積して電子カルテとすることで、症状に応じた複数の改善プログラムの中から最適な改善プログラムを抽出することである。【００１２】  まずは初めて来院されたクライアントの症状や環境等の確認である。  所定の用紙に必要事項を記入してもらう。
これは電子カルテとして利用される。電子カルテの内容等については後述する。【００１３】  来院の際、デジタルカメラでクライアントの各部位又は全身を撮影し、不調の程度を本人に確認してもらう。同時に、比較しやすいよう理想体型や、他のクライアントの類似の体形画像を抽出して表示することで、不調の状態と改善までに要する期間等を判断する材料とする。【００１４】  電子カルテは施術者のコンピュータのディスプレイに表示される。
施術者が検索の要件を入力すると、あらかじめ蓄積されている過去の本人及び他人の類似データを抽出し、最適な改善プログラムを抽出する。【００１５】  検索の要件を入力することにより、予め用意されている改善プログラムにより施術する。
施術後はデジタルカメラで各部位又は全身を撮影してコンピュータに取り込む。施術前に比べてどれくらい改善したのかを本人に画像を見て確認してもらう。その後、調整用グッズで改善された状態を維持してもらう。【００１６】  他のクライアントの類似の体形画像の抽出は、毎回抽出することで、来院の度、施術の前と後で大きく変化していることがクライアント自身の眼で確認することができる。【００１７】  施術者が、予め設定されたキー操作やマウス操作を行うと、画像の右側には改善の度合いが表示される。
これによりクライアントは改善の大まかな状況を知ることができる。【００１８】  施術者が、さらに操作を続けると、このクライアントに最適な改善プログラムを抽出して表示する。
また、何日おきに何回などの具体的な施術の時期や、禁忌事項等も併せて表示する。
これはクライアントには見せる必要はなく、口頭で伝えるだけでよい。【００１９】  ここで電子カルテのファイルについて述べる。
電子カルテのファイルは自動付与情報と、クライアント本人の告知情報、施術者情報、自動抽出・書き込み情報とで構成される。【００２０】  自動付与情報は、症状別に割り当てられたファイル領域のアドレスが書き込まれる。
クライアント本人の告知情報は、自覚症状の他、日常の生活習慣や職場環境・過去から現在に至っての治療歴等が書き込まれる。
施術者情報は、クライアントの告知に関係なく施術者自身が見立てた症状や不調の原因・処置等である。
自動抽出・書き込み情報は、このクライアントと類似した情報を持った他のクライアントの画像情報や、類似した方で実績のある改善プログラムが抽出されて書き込まれる領域である。【００２１】  類似した情報の抽出について述べる。
電子カルテのファイルには各種の告知情報が書き込まれているので、パソコンのマウスやキー操作により類似した情報を持つクライアントの情報が抽出される。
このとき、どの情報を検索キーにするかは初期値で設定するが、パソコンのマウスやキー操作でその都度変更してもよい。
たとえば、「症状」・「職場環境」・「職場環境」の順に設定したとすると、「類似した症状」であって、「類似した職場環境」であって、「類似した職場環境」である他のクライアントの中から、もっとも近いクライアントの情報が抽出されることになる。【００２２】  改善プログラムについて説明する。
改善プログラムはもっとも近い情報を持つクライアントの改善プログラムが抽出される。
これはあくまで過去に効果があったプログラムであって、このクライアントにとって、必ずしも最高の効果が得られるというわけではないが、現状では最適なプログラムとして考えられる。【００２３】  抽出される最適な改善プログラムは、クライアントのそのときの症状に応じてどのようなものが抽出されるかは分からないが、もっとも近い情報を持つクライアントの改善プログラムだけが抽出されるだけでなく、次に近いもの、その次に近いもの等複数を抽出させる構成にしておくことで、突然異なる最適な改善プログラムが抽出されるようなことはない。【００２４】  画像等の情報について説明する。
画像等の情報は、画像情報だけにこだわる必要はなく、数値化できる情報であればどのような情報でもよい。
数値化できる情報としては分かりやすいものとして長さや重さ・ドット数等があげられるが、他にも数値化できるものであればどのようなものでもよい。【００２５】  体軸（重心）のばらつき等については専用の測定器で測定する必要があるが、分布情報としたり、合成ベクトル情報としての記録も考えられる。【００２６】  体型や足型等の画像情報の取得には多くの手法があるが、ここではクライアント自身も簡単に理解できるよう、撮影台のフレームに縦横に張られた糸と、分度器とよく似た角度計を用いて身体の歪みを確認できるようにしている。なお、足型については踏み台に格子状の線を入れるだけでもよい。
【発明の効果】
【００２７】  整体院に来院するクライアントの症状は、毎回同じ症状を告知したとしても、実際はその都度変化していることが多く、施術の手順も整体師の見立てにより変更することが多い。
従来は整体師の経験で施術の手順を決めていたが、経験の少ない整体師には難しく、クライアントの告知を鵜呑みにして、いつもと同じ施術をしてしまうことであまり効果が期待できない場合がある。
クライアントと施術者が効果を一緒に確認できることで、改善の程度を共有し、改善までの期間予測等を把握することができるので安心である。
更に、施術者にはもっとも効果があると思われる「最適な改善プログラム」を自動的に抽出してくれるので、熟練者の技術を得ることができ、無駄な手技・無駄な時間を省くことができる。
【図面の簡単な説明】
【００２８】
【図１】  ディスプレイの表示画面（初めての来院時の施術前の状態）
【図２】  ディスプレイの表示画面（改善の度合いを表示）
【図３】  ディスプレイの表示画面（最適な改善プログラムを表示）
【図４】  １人分のデータフォーマット例
【図５】  要件（条件）入力からデータ抽出までの流れ
【図６】  運用の流れ
【図７】  撮影台
【図８】  傾斜計の構成（正面図）
【図９】  傾斜計の構成（平面図）
【図１０】  台座と踏み台（平面図）
【発明を実施するための形態】
【実施例】
【００２９】  まず、処理の流れについて述べる。
初めて来院されたクライアントには受け付けで所定の用紙を渡し、待っている間に必要事項を記入してもらう。記入の内容は、氏名・年齢・性別・住所・職業・その他の個人特定情報のほか、飲酒・喫煙・甘いもの好き・辛いもの好き等の嗜好情報、病歴・手術歴・常備薬等の治療歴、運動歴・運動障害・運動制限等の運動情報、住まい（椅子生活・畳生活）や食生活・主に履く靴の種類等の生活環境等を基本情報とし、その他に職場環境情報・自覚症状の情報や相談事等である。【００３０】  ここでは所定の用紙と書いたが、モバイル端末を用いて、クライアントが直接入力してもよいし、自宅のパソコンで事前に入力してパソコンで予約することも可能である。
これらの情報は待ち時間で全てを記入できない場合もあるので、記入できなかった部分についてはスタッフや施術者が聞きながら記入する。ここで、時間的な余裕があれば施術者が電子カルテを作成しても良いが、クライアントの不調を解消することが優先なので、電子カルテは後で完成させることが多い。【００３１】  来院の際、デジタルカメラでクライアントの各部位又は全身を撮影し、不調の程度を本人に確認してもらう。このとき、比較しやすいように理想体型や、他のクライアントの類似の体形画像を抽出して表示し、不調の状態と改善までに要する期間等を判断する材料とする。
ここで撮影した画像はデジタルカメラから直接コンピュータに取り込み、その際、氏名や番号等を施術者が付加情報として入力する。【００３２】  この間にスタッフが電子カルテのうちの必要最小限の事項を作成する。
電子カルテには予め症状や不調の部位や状況・原因・処置情報等が表示されているので、該当の項目をキーボードやタッチパネル等の入力手段を用いてチェックすればよいし、クライアントにモバイル端末を提供して、直接入力してもらった場合にはこの作業は不要である。【００３３】  電子カルテは施術者のコンピュータのディスプレイに表示される。
施術者が検索の要件を入力すると、あらかじめ蓄積されている過去の本人及び他人の類似情報を抽出し、最適な改善プログラムを抽出する。
要件は複数入力することができるので、たくさん入力することで、精度の高い改善プログラムを抽出することができる。【００３４】  検索の要件を入力することにより、予め用意されている改善プログラムにより施術する。
施術後はデジタルカメラで各部位又は全身を撮影してコンピュータに取り込む。施術前に比べてどれくらい改善したのかを本人に画像を見て確認してもらう。その後、調整用グッズで改善された状態を維持してもらう。【００３５】  ２回目以降の来院の際は受け付けで所定の用紙を渡し、クライアントに変化があった部分だけを記入してもらう。
この情報もスタッフが電子カルテに入力する。モバイル端末を用いて、クライアントが直接入力してもよいことは言うまでもない。【００３６】  クライアントの番が来たら始めての来院時と同様、デジタルカメラで各部位又は全身を撮影し、不調の程度を本人に確認してもらう。このときは、前回までの施術前・施術後の画像があるので時系列での変化を確認することができる。【００３７】  施術後はデジタルカメラで各部位又は全身を撮影してコンピュータに取り込み、施術前に比べてどれくらい改善したのかを本人に画像で確認してもらう。その後、調整用グッズで改善された状態を維持してもらう。
この場合も比較しやすいように理想体型や他のクライアントの類似の体形画像を抽出して表示し、不調の状態と改善までに要する期間等を判断する材料とする。【００３８】  他のクライアントの類似の体形画像の抽出は、毎回抽出することで、来院の度・施術の前と後で大きく変化していることがクライアント自身の眼で確認することができる。【００３９】  図１にディスプレイの表示画面の内容を示す。（プリンタへの出力も当然可能であるが、ここではディスプレイを例に説明する。）
初めての来院時の施術前の表示である。この場合、クライアントの実績がないのでデジタルカメラで撮影した画像と、画像の下部に不調の状況を文字で記したものしかない。
画像は左から「理想体型」・「類似の体型」・「貴方の体型」の順に並んでいる。【００４０】  表示画面の右下にある日付・施術回数と、肩・骨盤の角度は、抽出された「類似の体型」のうち、最も類似するものとの比較情報である。
この例では、「類似の体型」であるクライアントのｎ回目の施術結果と類似していることが分かる。
画像情報が全くない場合、あまり現実的ではないが「理想体型」との比較情報となる。【００４１】  施術を終えて撮影したものを比較すると、「貴方の体型」が最新のものに変わり、施術回数がプラス１されたものに変わる。
この場合、図１で表示した「類似の体型」を表示するか、新たに別の「類似の体型」を抽出するか、それとも施術前の「貴方の体型」を表示するかは予め設定されたキー操作やマウス操作で選択する。
この画面はクライアント自身に目視で確認してもらえるよう、その他の情報は表示しない。【００４２】  予め設定されたキー操作やマウス操作を行うと、図２の表示となる。
画像の右側に改善の度合いが表示される。
この画面は状況によってはクライアント自身の確認が必要な場合もあるので、度合いの欄に色づけされた◎印などを表示するが、必要な文字だけで表示してもよい。【００４３】  さらに操作を続けると図３の表示となる。
画面右下に、破線で囲まれた部分が表示される。
ここで表示されるのは、「類似の体型」の方に用いている「改善プログラム」であり、「類似の体型」のクライアントの改善までに要した期間である。
注意事項も同様で、過去に禁忌事項等があった場合には表示される。
「改善プログラム」は最も類似したものの他、２位・３位と必要に応じて表示させることもできる。【００４４】  ここで留意が必要なのは、画像での比較を行うためには、たくさんの画像情報が必要なことである。
過去の情報には画像のないものが多いため、カルテからの情報を入力しておくことで、文字情報だけではあるが、「改善プログラム」や、改善までに要した期間、禁忌事項等を表示することができる。【００４５】  図４に１人分のデータフォーマットを記す。
クライアントが来院された際に記入してもらった用紙をスタッフが電子カルテに入力したり、クライアントがモバイル端末や自宅のパソコンで事前に入力した内容はこのようなフォーマットで構成される。
コメント欄に記したが、氏名・年齢・住所等の個人を特定できるような情報はカルテ番号があれば処理には支障がないので、ファイルには保存しない。【００４６】  ファイルのデータは自動付与情報と、クライアント本人の告知情報、施術者情報、自動抽出・書き込み情報とで構成される。【００４７】  自動付与情報は、症状別に割り当てられたファイル領域のアドレスが書き込まれる。
症状は変化する場合もあるので、過去に渡って複数の症状が保存される。
なお、この症状はクライアントの告知を用いてもよいが、施術者の見立てを用いたほうが精度が高い。
カルテ番号は、クライアント個人を特定するもので、他人の番号と重複しないように割り振っている。【００４８】  クライアント本人の告知情報は、痛みや凝りの症状の他、日常の生活習慣や職場環境・過去から現在に至っての治療歴等が書き込まれる。
体調不良の内容と、日常の生活習慣や職場環境等は関連性が強いので、重要な事項である。【００４９】  施術者情報は、クライアントの告知に関係なく施術者自身が見立てた症状や不調の原因・処置等である。
クライアントが肩凝りで来院されたからといって、肩の不調はなく、腰の異常緊張を勘違いしているような場合もあるので、施術者の見立ては重要である。【００５０】  自動抽出・書き込み情報は、このクライアントと類似した情報を持った他のクライアントの画像情報や類似した方で実績のある改善プログラムが抽出されて書き込まれる領域である。
抽出された結果は「比較結果の類似例」と「改善プログラム」に書き込まれ、「施術結果」にはクライアントの施術前・施術後の画像等の情報が書き込まれる。
「改善までの期間予測」には、類似した情報を持った方の改善に要した期間と同じものが書き込まれる。【００５１】  図５は要件（条件）入力からデータ抽出までの流れを記したものである。
今まで述べたことを基に図５で確認する。
はじめはセットアップ処理である。
クライアントに書き込んでもらった所定の用紙はスタッフがデータ入力する。クライアントに書き込んでもらう所定の用紙は○×（マルバツ）式でもマークシート式でも記述式でもよい。
スタッフがデータ入力してもよいし、ＯＭＲ（オプチカル・マーク・リーダー）やＯＣＲ（オプチカル・キャラクタ・リーダー）で読み取ってもよい。
また、モバイル端末でクライアントに直接入力してもらうことも可能である。【００５２】  図示していないが、入力されたセットアップ処理の情報は一時ファイルに保存され、専任のスタッフが誤入力等をチェック・修正してからデータファイルに保存される。
施術までの間に専任のスタッフのチェック・修正は、時間的に無理であるため、施術者がクライアントに確認しながら一部の修正をすることができるが、図１〜３に記す「貴方の体型」等の情報は一時ファイルの最新情報を基に表示される。
専任スタッフのチェックが終了すると、一時ファイルに保存されていた情報は記憶手段の所定の位置に書き込まれる。【００５３】  記憶手段の所定の位置は症状別に分かれており、ここには本人告知の症状を優先して保存される。
施術者見立ての症状は本人告知とは全く関係なく、施術者の感覚によるものであり、クライアントの感覚が麻痺してしまっているような場合に利用できるようにしたものである。【００５４】  運用を始めたときの動作について述べる。
図５の運用業務には「要件（条件）入力」の他に「要件定義（デフォルト）」がある。
施術の際に絞り込みの要件を入力すると、その要件に応じたデータが抽出される。
例えば図４のように、要件に症状（本人告知）と、職場環境・業務内容（立位・座位）を指定すると、比較結果の類似例１から３と、改善プログラム１から３が抽出される。
１から３の数値は類似の順位である。つまり、比較結果の類似例１が最も類似しており、改善プログラム１が最適のプログラムということになる。【００５５】  「要件（条件）入力」の要件はたくさん用いることで精度の高い改善プログラムを抽出することができる。
しかし、クライアントの目の前でたくさんの要件を入力することは時間的に無理なので、主な要件は初期設定（デフォルト）しておくと短時間で抽出できる。
抽出された情報は類似度の高い順に並べ替えて表示される。もちろんプリントしてもよい。【００５６】  施術後は、施術した内容を「処置の情報［当院］」に入力する。
施術後の画像情報等は撮影等を行えば自動的に保存される。
この操作も一時ファイルに保存されるので、専任のスタッフがチェック・修正を行うと、記憶手段の所定の位置に書き加えられる。【００５７】  これらの流れをフローチャートで確認する。
図６に運用の流れを記す。
セットアップ処理は営業開始前に行われる。営業を開始するとセットアップ処理は終結される。
クライアントが来院したら、カルテ番号（ＩＤ）を入力すると初期設定（デフォルト）の要件により、図２のような表示が出力される。【００５８】  図２の表示はクライアントにみてもらいどのような状況なのかを理解してもらうのに都合がよい。
指定されたキー操作等を行うと図３の表示となり、最適な改善プログラムが表示される。【００５９】  施術が完了したら画像等の情報を撮影したりすることで、図２の内容が更新され効果を確認することができる。
指定されたキー操作等を行うと図３の表示となるので「改善までの期間予測」等、今後の方針等を説明して一人の処理を終了する。【００６０】  画像情報等について述べる。
来院時と施術後に、デジタルカメラで各部位又は全身を撮影するが、ただ撮影しただけでは「貴方の体型」がどのようになっているのか判断し難い。
そのため、図７のような撮影台（１）を発明した。【００６１】  図７に示す撮影台（１）は等間隔に目盛りが記されたフレーム（２）と、台座（３）で自立し、踏み台（４）と、複数本の摺動自在な弾性のある縦糸（５）と、弾性のある横糸（６）と、縦糸と横糸を係止できる傾斜計（７）とで構成される。傾斜計（７）は図８と図９に示すようにフレーム（２）を挟み込むため概「コ」の字形をしている。傾斜計（７）には糸の角度目盛り（１０）がついている。【００６２】  クライアントはこの撮影台（１）の台座（３）にある踏み台（４）に立ち、クライアントの肩や腰などの要所部分に弾性のある縦糸（５）と弾性のある横糸（６）を移動させて、バランスの狂いが分かるようにする。この狂いは傾斜計（７）に記されている糸の角度目盛り（１０）で読み取ることができる。【００６３】  また、フレームには全域に目盛り（８）が刻まれているので水平線・垂直線に対する身体の傾きも確認することができる。
傾斜計の角度情報と、フレームの目盛り（８）情報の全てを利用するのか、どちらを利用するのかは整体院の自由であるが、類似度抽出の情報として扱うためには整体等施術支援システム稼動前に決めておいたほうがよい。【００６４】  撮影台（１）を用いて撮影した画像の比較は、弾性のある縦糸（５）と弾性のある横糸（６）の位置を合わせれば、対称部位の位置や大きさの変化が分かりやすくなり、対称部位の位置や大きさを基点にすればマスクマッチングが可能となり、変化量をドット数で確認することができるので、これらの情報を類似度の情報源として利用することができる。【００６５】  台座（３）は中央部分の踏み台（４）がゆっくりと回転させることができるので、全方向の撮影が可能である。なお、回転のための動力源はどのような構成でも構わないので省略した。【００６６】  バランスの狂いは、デジタルカメラで撮影した画像を見れば一目瞭然であるが、傾斜計（７）と、フレームの目盛り（８）を設けたことで数値情報として用いることができる。
傾斜計（７）の角度情報やフレームの目盛り（８）情報はキー入力してもよいが、撮影した画像からマスクマッチング方式を用いて、もっとも不一致度の少ないものを求めてもよい。【００６７】  図１０は台座（３）と踏み台（４）の平面図である。
フレーム（２）等は省略している。踏み台（４）は透明な樹脂板に、縦横方向等間隔の目盛り線（１３）を設けており、踏み台（４）の下部にカメラを置くことで、足型の撮影も可能になる。
クライアントが立つ位置は色やマーキング等の目印を設けておけばよい。【００６８】  以上、類似度抽出の情報として主に画像情報を用いたが、数値化できる情報であればどのような情報であってもよい。
また、数値化できないあるいは数値化しにくい情報であっても、個人を特定するＩＤを付加しておくことで、ディスプレイの表示画面やプリンタ等に出力することも可能である。
【符号の説明】
【００６９】  １    撮影台
２    フレーム
３    台座
４    踏み台
５    縦糸
６    横糸
７    傾斜計
８    フレームの目盛り
９    糸の固定部
１０  糸の角度目盛り
１１  傾斜計固定ハンドル
１２  ローラー
１３  縦横方向等間隔の目盛り線
【図１】
2017064345.tif 000003
【図２】
2017064345.tif 000004
【図３】
2017064345.tif 000005
【図４】
2017064345.tif 000006
【図５】
2017064345.tif 000007
【図６】
2017064345.tif 000008
【図７】
2017064345.tif 000009
【図８】
2017064345.tif 000010
【図９】
2017064345.tif 000011
【図１０】
2017064345.tif 000012